(57)【要約】【課題】それぞれ２線式の不平衡伝送路と平衡伝送路との間で相互に伝送信号を伝達可能にする。【解決手段】伝送信号変換装置１００は、平衡伝送路１０２を反転状態に駆動する差動ドライバ１１１と、平衡伝送路１０２の信号状態に応じた信号を出力する差動レシーバ１１２と、これらの差動ドライバ１１１等を動作状態または動作抑制状態に制御するコンパレータ１１３とを備え、差動レシーバ１１２の出力端子と不平衡伝送路１０１との間にはダイオード１１４・１１５が直列に接続され、コンパレータ１１３の入力端子にはダイオード１１５の両端が接続されている。【選択図】図１
2017085517.tif 000002
【特許請求の範囲】
【請求項１】
プルアップおよび／またはプルダウンによって、非反転状態または反転状態のうち一方の第１の状態にされるとともに、接続される平衡伝送装置の出力に応じて強制的に他方の第２の状態に遷移する平衡伝送路と、
プルアップまたはプルダウンによって、ＨレベルまたはＬレベルのうち一方の第１のレベルにされるとともに、接続される不平衡伝送装置の出力に応じて強制的に他方の第２のレベルに遷移する不平衡伝送路との間で伝送される信号を変換する伝送信号変換装置であって、
平衡伝送路が平衡伝送装置の出力に応じて第２の状態に遷移したときに不平衡伝送路を第２のレベルに遷移させる一方、不平衡伝送路が不平衡伝送装置の出力に応じて第２のレベルに遷移したときに平衡伝送路を第２の状態に遷移させる信号状態遷移部と、
上記平衡伝送路の信号状態が遷移したことによって不平衡伝送路の信号状態が遷移した第１の遷移状態と、上記不平衡伝送路の信号状態が遷移したことによって平衡伝送路の信号状態が遷移した第２の遷移状態とを判別する判別部と、
上記第１の遷移状態の場合に、平衡伝送路の信号状態が復帰したときに不平衡伝送路の信号状態を復帰させるとともに、上記第２の遷移状態の場合に、不平衡伝送路の信号状態が復帰したときに平衡伝送路の信号状態を復帰させる信号状態復帰部と、
を備えたことを特徴とする伝送信号変換装置。
【請求項２】
請求項１の伝送信号変換装置であって、
上記平衡伝送路が平衡伝送装置の出力に応じて第２の状態に遷移したときに信号状態遷移部が不平衡伝送路の信号レベルを遷移させる上記第２のレベルの電位は、不平衡伝送装置の出力によって遷移する不平衡伝送路の第１の電位と、第２のレベルとして規定される許容範囲の最も第１のレベル側の電位との間の第２の電位に設定され、
上記判別部は、上記不平衡伝送路の電位に基づいて、上記判別を行うように構成されていることを特徴とする伝送信号変換装置。
【請求項３】
請求項２の伝送信号変換装置であって、
上記信号状態遷移部は、平衡伝送路が第１の状態のときに、上記第１の電位よりも高い第３の電位を発生するとともに、平衡伝送路が第２の状態のときに、上記第２の電位よりも低い第４の電位を発生する電位発生部とを備え、
上記判別部は、上記電位発生部の発生する電位と不平衡伝送路の電位とに基づいて、上記判別を行うように構成されていることを特徴とする伝送信号変換装置。
【請求項４】
請求項１の伝送信号変換装置であって、
上記信号状態遷移部は、平衡伝送路を第２の状態に遷移させる差動ドライバを備えるとともに、
上記判別部によって上記第１の遷移状態であることが判別された場合に、上記差動ドライバの動作が抑制されるように構成されていることを特徴とする伝送信号変換装置。
【請求項５】
請求項１の伝送信号変換装置であって、
上記判別部は、
上記平衡伝送路が第１の状態のときに、上記不平衡伝送路が第１のレベルから第２のレベルに遷移したか、または、
上記不平衡伝送路が第１のレベルのときに、上記平衡伝送路が第１の状態から第２の状態に遷移したかを判別するとともに、上記判別結果を保持するように構成されていることを特徴とする伝送信号変換装置。
【請求項６】
請求項５の伝送信号変換装置であって、
上記信号状態遷移部は、
平衡伝送路を第２の状態に遷移させる平衡伝送路信号状態強制遷移部と、
不平衡伝送路を第２のレベルに遷移させる不平衡伝送路信号状態強制遷移部と、
を備えるとともに、
上記平衡伝送路が第１の状態のときに、上記不平衡伝送路が第１のレベルから第２のレベルに遷移した場合には、上記平衡伝送路信号状態強制遷移部が動作するとともに、上記不平衡伝送路信号状態強制遷移部の動作が抑制される一方、
上記不平衡伝送路が第１のレベルのときに、上記平衡伝送路が第１の状態から第２の状態に遷移した場合には、上記不平衡伝送路信号状態強制遷移部が動作するとともに、上記平衡伝送路信号状態強制遷移部の動作が抑制されるように構成されていることを特徴とする伝送信号変換装置。
【請求項７】
請求項１の伝送信号変換装置であって、
上記信号状態遷移部は、
平衡伝送路を第２の状態に遷移させる差動ドライバと、
平衡伝送路が第２の状態のときに、不平衡伝送路を第２のレベルに遷移させ得る制御信号を出力する受信レシーバとを備えるとともに、
上記判別部は、
上記受信レシーバの出力部から不平衡伝送路の間に、それぞれ不平衡伝送路を第２のレベルに遷移させる方向に電流を流し得る方向で直列に順に接続された第１および第２のダイオードと、
上記第１および第２のダイオードの接続部の電位を上記第１のレベルと第２のレベルとの間の電位に設定するプルアップ抵抗およびプルダウン抵抗と、
上記第２のダイオードの両側の電位差に応じた比較信号を出力して、上記差動ドライバ、および受信レシーバを動作状態と動作抑制状態とに制御するコンパレータとを備えたことを特徴とする伝送信号変換装置。
【発明の詳細な説明】
【技術分野】
【０００１】
本発明は、それぞれ２線式の不平衡伝送路と平衡伝送路との間で伝送信号を伝達する伝送信号変換装置に関するものである。
【背景技術】
【０００２】
不平衡伝送路は、信号線の本数を低減して装置の簡素化や製造コストの低減を図りやすい伝送路である。一方、平衡伝送路は、耐ノイズ性を高めて、長距離の伝送や信頼性の向上を図りやすい伝送路である。そこで、不平衡信号を平衡信号に変換するインターフェースと、平衡信号を不平衡信号に変換するインターフェースとを備えた変換装置を用い、不平衡伝送路と平衡伝送路とを組み合わせて用いる技術が知られている（例えば、特許文献１参照。）。
【先行技術文献】
【特許文献】
【０００３】
【特許文献１】特開平４−３４５４８０号公報
【発明の概要】
【発明が解決しようとする課題】
【０００４】
しかしながら、上記のような変換装置は、全二重方式の伝送路に適用することは容易であるが、２線式（かつ半二重方式）の伝送路に適用することは困難である。なぜならば、２線式の伝送路では、送信信号と受信信号とが共通の信号線によって伝送されるため、例えば一方の伝送路の信号が他方の伝送路の信号に変換され、さらにその変換された信号が上記一方の伝送路の信号に変換されると、いわゆる伝送信号の回り込みが生じることになり、適切な信号の伝送が行われないことになるからである。
【０００５】
本発明は、上記の点に鑑みてなされたものであり、それぞれ２線式の不平衡伝送路と平衡伝送路との間で相互に伝送信号を伝達可能にすることを目的としている。
【課題を解決するための手段】
【０００６】
本発明は、平衡伝送路と、不平衡伝送路との間で伝送される信号を変換する伝送信号変換装置において、平衡伝送路の信号状態が遷移したことによって不平衡伝送路の信号状態が遷移したか、または不平衡伝送路の信号状態が遷移したことによって平衡伝送路の信号状態が遷移したかを判別するようにされている。
【０００７】
これによって、起因となる一方の信号状態が復帰したときに、他方の信号状態を確実に復帰させることができるので、いわゆる信号の回り込みの影響を回避して、適切な信号の変換、伝達を行わせることができる。
【０００８】
すなわち、第１の発明は、
プルアップおよび／またはプルダウンによって、非反転状態または反転状態のうち一方の第１の状態にされるとともに、接続される平衡伝送装置の出力に応じて強制的に他方の第２の状態に遷移する平衡伝送路と、
プルアップまたはプルダウンによって、ＨレベルまたはＬレベルのうち一方の第１のレベルにされるとともに、接続される不平衡伝送装置の出力に応じて強制的に他方の第２のレベルに遷移する不平衡伝送路との間で伝送される信号を変換する伝送信号変換装置であって、
平衡伝送路が平衡伝送装置の出力に応じて第２の状態に遷移したときに不平衡伝送路を第２のレベルに遷移させる一方、不平衡伝送路が不平衡伝送装置の出力に応じて第２のレベルに遷移したときに平衡伝送路を第２の状態に遷移させる信号状態遷移部と、
上記平衡伝送路の信号状態が遷移したことによって不平衡伝送路の信号状態が遷移した第１の遷移状態と、上記不平衡伝送路の信号状態が遷移したことによって平衡伝送路の信号状態が遷移した第２の遷移状態とを判別する判別部と、
上記第１の遷移状態の場合に、平衡伝送路の信号状態が復帰したときに不平衡伝送路の信号状態を復帰させるとともに、上記第２の遷移状態の場合に、不平衡伝送路の信号状態が復帰したときに平衡伝送路の信号状態を復帰させる信号状態復帰部と、
を備えたことを特徴とする。
【０００９】
これにより、平衡伝送路と不平衡伝送路との何れの信号状態の遷移によって他方の伝送路への信号の伝達が行われた場合でも、判別部による判別に基づいて信号状態の遷移および復帰を確実に行わせることができる。
【００１０】
第２の発明は、
第１の発明の伝送信号変換装置であって、
上記平衡伝送路が平衡伝送装置の出力に応じて第２の状態に遷移したときに信号状態遷移部が不平衡伝送路の信号レベルを遷移させる上記第２のレベルの電位は、不平衡伝送装置の出力によって遷移する不平衡伝送路の第１の電位と、第２のレベルとして規定される許容範囲の最も第１のレベル側の電位との間の第２の電位に設定され、
上記判別部は、上記不平衡伝送路の電位に基づいて、上記判別を行うように構成されていることを特徴とする。
【００１１】
これにより、信号状態遷移部が遷移させる第２のレベルは、規定される許容範囲内のレベル（例えばＬレベルの上限以下の電位）であることによって、確実な論理回路の動作を可能にするとともに、その許容範囲内で、不平衡伝送装置の出力によって遷移する不平衡伝送路の第１の電位（例えば接地電位）と異ならせた第２の電位（例えばダイオード閾値電圧の２倍の電位など、接地レベルよりも高い電位）にすることによって、信号状態遷移部による不平衡伝送路と平衡伝送路との間の伝送による遷移を判別することが容易にできる。
【００１２】
第３の発明は、
第２の発明の伝送信号変換装置であって、
上記信号状態遷移部は、平衡伝送路が第１の状態のときに、上記第１の電位よりも高い第３の電位を発生するとともに、平衡伝送路が第２の状態のときに、上記第２の電位よりも低い第４の電位を発生する電位発生部とを備え、
上記判別部は、上記電位発生部の発生する電位と不平衡伝送路の電位とに基づいて、上記判別を行うように構成されていることを特徴とする。
【００１３】
これにより、信号状態遷移部の電位発生部は、平衡伝送路が第１の状態（例えば、非反転状態）で、上記不平衡伝送装置によって不平衡伝送路が第２のレベル（例えばＬレベル）に遷移したときに、第３の電位（例えば１／２Ｖｃｃ）を発生するとともに、平衡伝送路が第２の状態（例えば、反転状態）のときに、第４の電位（例えばダイオード閾値電位）を発生することによって、電位発生部の出力電位と不平衡伝送路の電位との間の高低関係が第１の遷移状態と第２の遷移状態とで異なるので、これらの判別を容易にできる。
【００１４】
第４の発明は、
第１の発明の伝送信号変換装置であって、
上記信号状態遷移部は、平衡伝送路を第２の状態に遷移させる差動ドライバを備えるとともに、
上記判別部によって上記第１の遷移状態であることが判別された場合に、上記差動ドライバの動作が抑制されるように構成されていることを特徴とする。
【００１５】
これにより、信号状態遷移部は、平衡伝送路を第２の状態（例えば反転状態）に遷移させる差動ドライバを備えるとともに、上記判別部によって上記第１の遷移状態、すなわち平衡伝送路の信号状態が遷移したことによって不平衡伝送路の信号状態が遷移した状態であることが判別された場合に、上記差動ドライバの動作が抑制されるので、差動ドライバの動作によって平衡伝送路の信号状態遷移が継続されるような回り込みが回避される。
【００１６】
第５の発明は、
第１の発明の伝送信号変換装置であって、
上記判別部は、
上記平衡伝送路が第１の状態のときに、上記不平衡伝送路が第１のレベルから第２のレベルに遷移したか、または、
上記不平衡伝送路が第１のレベルのときに、上記平衡伝送路が第１の状態から第２の状態に遷移したかを判別するとともに、上記判別結果を保持するように構成されていることを特徴とする。
【００１７】
これにより、不平衡伝送路と平衡伝送路との何れの遷移が起因かが判別されるので、伝送信号の回り込みを容易に抑制できるとともに、起因となる一方の伝送路が遷移から復帰したときに、他方の伝送路を復帰させることが容易にできる。
【００１８】
第６の発明は、
第５の発明の伝送信号変換装置であって、
上記信号状態遷移部は、
平衡伝送路を第２の状態に遷移させる平衡伝送路信号状態強制遷移部と、
不平衡伝送路を第２のレベルに遷移させる不平衡伝送路信号状態強制遷移部と、
を備えるとともに、
上記平衡伝送路が第１の状態のときに、上記不平衡伝送路が第１のレベルから第２のレベルに遷移した場合には、上記平衡伝送路信号状態強制遷移部が動作するとともに、上記不平衡伝送路信号状態強制遷移部の動作が抑制される一方、
上記不平衡伝送路が第１のレベルのときに、上記平衡伝送路が第１の状態から第２の状態に遷移した場合には、上記不平衡伝送路信号状態強制遷移部が動作するとともに、上記平衡伝送路信号状態強制遷移部の動作が抑制されるように構成されていることを特徴とする。
【００１９】
これにより、不平衡伝送路の遷移による平衡伝送路の遷移、およびその逆の遷移を確実に行わせることが容易にできる。
【００２０】
第７の発明は、
第１の発明の伝送信号変換装置であって、
上記信号状態遷移部は、
平衡伝送路を第２の状態に遷移させる差動ドライバと、
平衡伝送路が第２の状態のときに、不平衡伝送路を第２のレベルに遷移させ得る制御信号を出力する受信レシーバとを備えるとともに、
上記判別部は、
上記受信レシーバの出力部から不平衡伝送路の間に、それぞれ不平衡伝送路を第２のレベルに遷移させる方向に電流を流し得る方向で直列に順に接続された第１および第２のダイオードと、
上記第１および第２のダイオードの接続部の電位を上記第１のレベルと第２のレベルとの間の電位に設定するプルアップ抵抗およびプルダウン抵抗と、
上記第２のダイオードの両側の電位差に応じた比較信号を出力して、上記差動ドライバ、および受信レシーバを動作状態と動作抑制状態とに制御するコンパレータとを備えたことを特徴とする。
【００２１】
これにより、簡潔な構成で、上記のような伝送信号の変換、伝達を行わせることができる。
【発明の効果】
【００２２】
本発明では、それぞれ２線式の不平衡伝送路と平衡伝送路との間で相互に伝送信号を伝達可能にすることができる。
【図面の簡単な説明】
【００２３】
【図１】実施形態１の伝送信号変換装置１００の構成を示す回路図である。
【図２】実施形態２の伝送信号変換装置１００の構成を示す回路図である。
【図３】実施形態３の伝送信号変換装置１００の構成を示す回路図である。
【図４】実施形態４の伝送信号変換装置１００の構成を示す回路図である。
【発明を実施するための形態】
【００２４】
以下、本発明の実施形態を図面に基づいて詳細に説明する。なお、以下の各実施形態において、他の実施形態と同様の機能を有する構成要素については同一の符号を付して説明を省略する。
【００２５】
（実施形態１）
（伝送信号変換装置１００の構成）
実施形態１の伝送信号変換装置１００は、図１に示すように、不平衡伝送路１０１と、例えばＲＳ４８５規格の平衡伝送路１０２とに接続され、これらの伝送路間で伝送信号を変換して中継するようになっている。
【００２６】
上記不平衡伝送路１０１は、１対の信号線ＴｘＲｘ・ＧＮＤを有している。信号線ＴｘＲｘは、プルアップ抵抗Ｒ１によってＨレベル（第１のレベル）にプルアップされる。
この不平衡伝送路１０１には、例えば図示しない複数の不平衡伝送装置がバス接続され、何れかの不平衡伝送装置が出力信号をＬレベルにすることによって、不平衡伝送路１０１がＬレベル（第２のレベル）にされるようになっている。
【００２７】
平衡伝送路１０２は、１対の信号線Ｄ＋・Ｄ−を有している。これらの信号線Ｄ＋・Ｄ−は、プルアップ・ダウン抵抗Ｒ４・Ｒ５（Ｒ４＜Ｒ５）によって、相対的に信号線Ｄ＋が高電位、信号線Ｄ−が低電位の非反転状態（第１の状態）にされている。この平衡伝送路１０２には、例えば図示しない複数の平衡伝送装置がバス接続され、何れかの平衡伝送装置が出力信号を反転状態にすることによって、平衡伝送路１０２が反転状態（第２の状態）にされるようになっている。
【００２８】
伝送信号変換装置１００は、平衡伝送路１０２を反転状態に駆動する差動ドライバ１１１と、平衡伝送路１０２の信号状態に応じた信号を出力する差動レシーバ１１２と、これらの差動ドライバ１１１および差動レシーバ１１２を動作状態または動作抑制状態（出力がハイインピーダンスＨｉ−Ｚ）に制御するコンパレータ１１３とを備えている。また、上記差動レシーバ１１２の出力端子と不平衡伝送路１０１との間には、ダイオード１１４・１１５が、それぞれ差動レシーバ１１２側にカソードを向けて直列に接続されている。ダイオード１１４・１１５の接続点には、プルアップ抵抗Ｒ２を介してＶｃｃ、プルダウン抵抗Ｒ３を介してＧＮＤが接続されている。ここで、例えばプルアップ抵抗Ｒ２とプルダウン抵抗Ｒ３の抵抗値が等しいとすると、ダイオード１１４・１１５の接続点の電位Ｖ２は、ダイオード１１４・１１５に電流が流れない状態では１／２Ｖｃｃ、すなわちＨレベルの電位に保たれるようになっている。コンパレータ１１３の非反転／反転入力端子には、それぞれダイオード１１５のカソード／アノードが接続されている。
【００２９】
（伝送信号変換装置１００の動作）
上記のように構成された伝送信号変換装置１００では、（表１）に示すような動作によって、不平衡伝送路１０１と平衡伝送路１０２との間で伝送信号の変換が行われる。ここで、以下では説明の便宜上、平衡伝送装置の出力は、出力論理値が０のときに非反転状態、１のときに反転状態、受信状態の時にハイインピーダンス（Ｈｉ−Ｚ）とし、不平衡伝送装置の出力は、出力論理値が０（受信状態）のときにＨレベル、１の時にＬレベルとして説明する。
【００３０】
【表１】
2017085517.tif 000003
【００３１】
（１）平衡伝送装置出力論理値＝０、平衡伝送装置出力論理値＝１のとき
平衡伝送路１０２は非反転状態になり、差動レシーバ１１２の出力電位Ｖ３はＨレベルになる。そこで、ダイオード１１４には電流が流れず、ダイオード１１４・１１５の接続点の電位Ｖ２は、抵抗Ｒ１〜Ｒ３の抵抗値、および不平衡伝送装置の駆動能力等によって定まり、例えば上記のように抵抗Ｒ２・Ｒ３の抵抗値が等しく設定されていれば概ね１／２Ｖｃｃになる。そこで、不平衡伝送路１０１の電位Ｖ１は、上記電位Ｖ２よりもダイオード１１５の閾値電圧ＶＤｔｈだけ高い電位、すなわちＨレベルの電位に保たれる。
【００３２】
（２）平衡伝送装置出力論理値＝１、平衡伝送装置出力論理値＝０のとき
平衡伝送路１０２が反転状態になり、差動レシーバ１１２の出力電位Ｖ３はＬレベルになる。そこで、不平衡伝送路１０１の電位は、ダイオード１１４・１１５を介して差動レシーバ１１２に引き込まれ、ダイオードの閾値電圧ＶＤｔｈの２倍の電位、すなわちＬレベルの電位となり、平衡伝送路１０２の伝送信号が不平衡伝送路１０１に伝達される。
【００３３】
このとき、コンパレータ１１３の＋側入力の電位Ｖ２は、−側入力の電位Ｖ１よりもダイオード１１５の閾値電圧ＶＤｔｈだけ低くなる。そこで、コンパレータ１１３の出力電位Ｖ５はＬレベルになる。その結果、差動レシーバ１１２の出力電位Ｖ３はＬレベルに維持される一方、差動ドライバ１１１は動作抑制状態、すなわち出力端子はハイインピーダンスになる。したがって、反転状態の回り込みは防止され、平衡伝送装置の出力が非反転状態に戻る場合には、平衡伝送路１０２も速やかに非反転状態に戻り、不平衡伝送路１０１はＨレベルに戻ることになる。
【００３４】
（３）平衡伝送装置が受信状態（出力がハイインピーダンス）、平衡伝送装置出力論理値＝１のとき
このときには、平衡伝送路１０２は、プルアップ・ダウン抵抗Ｒ４・Ｒ５によるプルアップ・ダウンによって非反転状態にされる。そこで、上記（１）の場合と同様に、差動レシーバ１１２の出力電位Ｖ３はＨレベルになり、ダイオード１１４には電流が流れず、ダイオード１１４・１１５の接続点の電位Ｖ２は概ね１／２Ｖｃｃになって、不平衡伝送路１０１の電位Ｖ１は、上記電位Ｖ２よりもダイオード１１５の閾値電圧ＶＤｔｈだけ高い電位、すなわちＨレベルの電位に保たれる。
【００３５】
（４）平衡伝送装置が受信状態（出力がハイインピーダンス）、平衡伝送装置出力論理値＝０のとき
不平衡伝送装置の出力がＬレベルになると、不平衡伝送路１０１もＬレベルになる。この場合、ダイオード１１４・１１５の接続点の電位Ｖ２が抵抗Ｒ２・Ｒ３によって１／２Ｖｃｃに保たれているとすると、コンパレータ１１３の出力はＨレベルになる。そこで、差動ドライバ１１１は動作状態になり、平衡伝送路１０２は反転状態になる。すなわち、不平衡伝送路１０１の伝送信号が平衡伝送路１０２に伝達される。また、このとき、差動レシーバ１１２は、上記コンパレータ１１３の出力によって動作抑制状態にされ、出力はハイインピーダンスとなり、したがってダイオード１１４・１１５の接続点の電位Ｖ２は、上記のように１／２Ｖｃｃに保たれることになる。
【００３６】
さらに、この状態では、不平衡伝送装置の出力がプルアップ抵抗Ｒ１のプルアップによるＨレベルに復帰すると、不平衡伝送路１０１の電位Ｖ１はダイオード１１４・１１５の接続点の電位Ｖ２よりも高くなるので、コンパレータ１１３の出力はＬレベルになり、差動ドライバ１１１は動作抑制状態となる。したがって、平衡伝送路１０２は速やかに非反転状態に復帰することになる。
【００３７】
上記のように、差動レシーバ１１２の出力と不平衡伝送路１０１との間にダイオード１１４・１１５が設けられ、ダイオード１１５の両側の電位差に応じてコンパレータ１１３により差動ドライバ１１１の動作状態が制御されることによって、不平衡伝送路１０１と平衡伝送路１０２との間で、伝送信号の回り込みを生じることなく、伝送信号の変換、伝送を適切に行わせることができる。
【００３８】
なお、平衡伝送路１０２が反転状態になって不平衡伝送路１０１がＬレベルになるときの不平衡伝送路１０１の電位Ｖ１は、上記のようにダイオードの閾値電圧ＶＤｔｈの２倍に限らず、Ｌレベルとして許容される上限の電位より低く、かつ、不平衡伝送装置によって不平衡伝送路１０１がＬレベルにされるときの電位よりも高ければ、不平衡伝送路１０１がＬレベルになることによる動作を適切に行わせつつ、そのＬレベルへの遷移が不平衡伝送路１０１、または平衡伝送路１０２の何れの遷移によって生じたものかの判別を行うことが可能となる。
【００３９】
（実施形態２）
上記のように差動レシーバ１１２をコンパレータ１１３の出力によって動作抑制し得るようにするのに限らず、図２に示すように出力制御端子を接地して常時動作させるようにしてもよい。この場合、不平衡伝送路１０１がＬレベルになって、上記（４）のように差動ドライバ１１１が動作状態になり、平衡伝送路１０２が反転状態になると、差動レシーバ１１２の出力はＬレベルになる。そこで、ダイオード１１４・１１５の接続点の電位Ｖ２は、差動レシーバ１１２の引き込みによってダイオード１１４の閾値電圧ＶＤｔｈに等しい電位となるが、この場合でも、不平衡伝送路１０１のＬレベルの電位より高く保たれるので、差動ドライバ１１１は動作状態に保たれる。さらに、不平衡伝送路１０１がＨレベルに戻ったときには、上記ダイオード１１４・１１５の接続点の電位Ｖ２は、不平衡伝送路１０１の電位よりもダイオード１１５の閾値電圧ＶＤｔｈだけ低くなるので、差動ドライバ１１１は動作抑制状態にされる。したがって、実施形態１と同じく、適切に変換動作を行わせて伝送信号を伝達することができる。
【００４０】
上記のように、差動レシーバ１１２が常に動作状態となっているような場合には、不平衡伝送路１０１がＬレベルとなって差動ドライバ１１１が動作状態となった場合に、不平衡伝送路１０１のレベルを引き込む回り込みのような動作をすることになるが、そのような場合でも、非平衡伝送装置の出力がＨレベルに復帰しようとするときには、コンパレータ１１３の検出により差動ドライバ１１１の動作が抑制されることによって、適切な変換動作を行わせることができる。
【００４１】
（実施形態３）
上記のような電位Ｖ１や電位Ｖ２の関係は、ダイオード１１４・１１５を用いれば、適切に保って安定な変換動作を行わせることが容易にできるが、これに限らず、抵抗などを用い、その抵抗値を適切に設定することによって、同様の動作を行わせることができる。      
【００４２】
具体的には、例えば図３に示す伝送信号変換装置１００は、実施形態２（図２）の１００に比べて、ダイオード１１４を省略し、ダイオード１１５を抵抗Ｒ１１に置き換えたものである。この場合には、抵抗Ｒ１１の両端の電圧は、抵抗Ｒ１１に流れる電流の大きさによって変動するが、上記と同様の電位の関係が保たれる限りは、同様の動作をさせることができる。
【００４３】
なお、さらに、ダイオード１１４を省略せずに抵抗Ｒ１１とともに用いたり、ダイオード１１４だけを省略してダイオード１１５だけを用いるようにしたりするなど、同様の電位の関係を適用し得る範囲で、種々変形を施してもよい。
【００４４】
（実施形態４）
信号レベルや信号状態の遷移が不平衡伝送路１０１と平衡伝送路１０２とのどちらの変化に起因するかに応じた適切な伝送制御をするためには、上記のようにコンパレータ１１３を用いるのに限らず、例えば図４に示すように、最初の遷移が生じる際の判別に基づいて制御が行われるようにしてもよい。
【００４５】
同図の例では、差動ドライバ１１１、および差動レシーバ１１２に加えて、さらに、差動レシーバ１２１が設けられるとともに、ＯＲ回路１２２と不平衡伝送路１０１側が反転入力のＡＮＤ回路１２３とによって構成される判定回路が設けられている。また、差動レシーバ１１２の出力端子と１０１との間にはダイオード１２４が設けられている。
【００４６】
この伝送信号変換装置１００では、平衡伝送路１０２が非反転状態の時には、差動レシーバ１２１の出力がＨレベルになっているので、不平衡伝送路１０１がＬレベルになると、ＡＮＤ回路１２３の出力はＨレベルになり、差動ドライバ１１１が動作状態になって、平衡伝送路１０２は反転状態になる。また、これに伴って差動レシーバ１２１の出力がＬレベルになっても、ＡＮＤ回路１２３の出力がＯＲ回路１２２に入力されているので、上記ＡＮＤ回路１２３の出力がＨレベルの状態は維持される。
【００４７】
また、不平衡伝送路１０１がＨレベルに戻ると、ＡＮＤ回路１２３の出力はＬレベルに戻るので、差動ドライバ１１１は動作抑制状態になり、平衡伝送路１０２は非反転状態に戻る。
【００４８】
一方、不平衡伝送路１０１がＨレベルの時に、平衡伝送路１０２が反転状態になると、差動レシーバ１１２の出力がＬレベルになり、不平衡伝送路１０１は、ダイオード１２４を介して電位が引き込まれてＬレベルになる。このとき、ＯＲ回路１２２の出力はＬレベルのままなので、ＡＮＤ回路１２３の出力もＬレベルのままに保たれ、差動ドライバ１１１は動作抑制状態が維持される。
【００４９】
平衡伝送路１０２が非反転状態に戻った場合には、差動レシーバ１１２の出力がＨレベルになるので、不平衡伝送路１０１は、電位が引き込まれなくなってＨレベルに戻る。
【００５０】
上記のように、最初に遷移の起因となる動作に関する情報が保持されることによって、回り込みを抑制したり、回り込みがある場合でも信号状態を速やかに復帰させたりすることが容易にできる。
【００５１】
（その他の事項）
なお、上記の例では、不平衡伝送路１０１では、プルアップされた状態が不平衡伝送装置の出力によってＬレベルにされるとともに、平衡伝送路１０２では、プルアップ・ダウンによって非反転状態にされた状態が平衡伝送装置の出力によって反転状態にされる例を示したが、これに限らず、逆の信号レベルや状態の場合などでも、同様の手法を適用することはできる。
【００５２】
また、実質的に同様の原理で動作させるためには、具体的な回路としては、例えば実施形態４（図４）のＯＲ回路１２２とＡＮＤ回路１２３をＮＯＲ回路に置き換えるなどの論理的に等価な回路も含めて、種々の変形をしてもよい。
【符号の説明】
【００５３】
１００      伝送信号変換装置 
１０１      不平衡伝送路 
１０２      平衡伝送路 
１１１      差動ドライバ 
１１２      差動レシーバ 
１１３      コンパレータ 
１１４      ダイオード 
１１５      ダイオード 
１２１      差動レシーバ 
１２２      ＯＲ回路 
１２３      ＡＮＤ回路 
１２４      ダイオード 
【図１】
2017085517.tif 000004
【図２】
2017085517.tif 000005
【図３】
2017085517.tif 000006
【図４】
2017085517.tif 000007